(57)【要約】【課題】  本発明は、高い部品精度や組み合わせ精度を要求することなくイジェクト動作時に確実にディスクカートリッジをホルダから排出できるようにする。【解決手段】  本発明は、ホルダ８が装着位置から挿脱位置へ回動されることに連動してイジェクトレバー２１の第２ロック係合部４８によるディスクカートリッジ１００の第２ロック係合状態を解除し、このとき解除状態維持部４６によりディスクカートリッジ１００の第１ロック係合状態を解除し続けていることにより、引張コイルばね３５の付勢力を利用してイジェクトレバー２１の被支持部４０を排出方向へ摺動させてホルダ８に装填されていたディスクカートリッジ１００を排出させることができるので、ホルダ８の装着位置から挿脱位置への回動に連動してディスクカートリッジ１００を確実に排出することができる。【選択図】        図５
2005322307.tif 000002
【特許請求の範囲】
【請求項１】
ディスク状記録媒体を収納したディスクカートリッジに対するイジェクト機構であって、
所定形状でなる第１被ロック部が一体形成され、上記ディスクカートリッジを挿入又は排出する際の挿脱位置と、当該ディスクカートリッジの上記ディスク状記録媒体をメカシャーシ上の所定位置に装着させる装着位置との間を移動可能に回動するホルダと、
上記ホルダに対して上記ディスクカートリッジの挿入方向又は排出方向へ摺動自在に支持された被支持部と、上記ホルダが上記挿脱位置に保持された状態でかつ上記ディスクカートリッジが挿入されたときに上記第１被ロック部と係合することにより当該ディスクカートリッジを装填状態に保持して第１ロック係合状態を形成する第１ロック係合部と、上記ホルダが上記挿脱位置から上記装着位置へ回動されたときに上記第１ロック係合状態を解除してその解除状態を維持したまま当該ディスクカートリッジを当該装着位置に保持し、上記ホルダが上記装着位置から上記挿脱位置へ回動されたときにも上記解除状態を維持し続ける解除状態維持部と、上記ホルダが上記挿脱位置から上記装着位置へ回動されたときには当該ディスクカートリッジを当該装着位置に保持して第２ロック係合状態を形成する第２ロック係合部とが一体に形成されたイジェクトレバーと、
上記ホルダと上記イジェクトレバーとの間で張設され、当該イジェクトレバーを上記排出方向へ付勢する付勢ばねと
を具え、
上記ホルダが上記装着位置から上記挿脱位置へ回動されることに連動して上記イジェクトレバーの上記第２ロック係合部による上記第２ロック係合状態が解除されたときに、上記第１ロック係合状態及び上記第２ロック係合状態の双方が解除され、上記付勢ばねによる付勢力を利用して上記イジェクトレバーの上記被支持部を上記排出方向へ摺動させて上記ホルダに装填されていた上記ディスクカートリッジを排出させる
ことを特徴とするイジェクト機構。
【請求項２】
上記イジェクトレバーは、上記ホルダが上記挿脱位置から上記装着位置へ回動された際に、上記第２ロック係合部を上記メカシャーシに設けられた所定形状でなる第２被ロック部に対して面接触で係合させることにより上記第２ロック係合状態を形成し、上記ホルダが上記装着位置から上記挿脱位置へ回動された際に上記面接触に係る部分をすべらせながら上記第２ロック係合状態を解除する
ことを特徴とする請求項１に記載のイジェクト機構。
【請求項３】
上記イジェクトレバーの解除状態維持部は、上記第１ロック係合状態を解除したときに、当該第１ロック係合状態へ戻ることがないように上記解除状態を維持すると共に、上記付勢ばねによる付勢力を利用して上記被支持部を上記排出方向へ摺動させる際にも当該第１ロック係合状態へ戻ることがないように上記解除状態を維持し続ける
を具えることを特徴とする請求項１に記載のイジェクト機構。
【請求項４】
ディスク状記録媒体を収納したディスクカートリッジに対するイジェクト機構を搭載したディスク装置であって、
上記イジェクト機構は、
所定形状でなる第１被ロック部が一体形成され、上記ディスクカートリッジを挿入又は排出する際の挿脱位置と、当該ディスクカートリッジの上記ディスク状記録媒体をメカシャーシ上の所定位置に装着させる装着位置との間を移動可能に回動するホルダと、
上記ホルダに対して上記ディスクカートリッジの挿入方向又は排出方向へ摺動自在に支持された被支持部と、上記ホルダが上記挿脱位置に保持された状態でかつ上記ディスクカートリッジが挿入されたときに上記第１被ロック部と係合することにより当該ディスクカートリッジを装填状態に保持して第１ロック係合状態を形成する第１ロック係合部と、上記ホルダが上記挿脱位置から上記装着位置へ回動されたときに上記第１ロック係合状態を解除してその解除状態を維持したまま当該ディスクカートリッジを当該装着位置に保持し、上記ホルダが上記装着位置から上記挿脱位置へ回動されたときにも上記解除状態を維持し続ける解除状態維持部と、上記ホルダが上記挿脱位置から上記装着位置へ回動されたときには当該ディスクカートリッジを当該装着位置に保持して第２ロック係合状態を形成する第２ロック係合部とが一体に形成されたイジェクトレバーと、
上記ホルダと上記イジェクトレバーとの間で張設され、当該イジェクトレバーを上記排出方向へ付勢する付勢ばねと
を具え、
上記ホルダが上記装着位置から上記挿脱位置へ回動されることに連動して上記イジェクトレバーの上記第２ロック係合部による上記第２ロック係合状態が解除されたときに、上記第１ロック係合状態及び上記第２ロック係合状態の双方が解除され、上記付勢ばねによる付勢力を利用して上記イジェクトレバーの上記被支持部を上記排出方向へ摺動させて上記ホルダに装填されていた上記ディスクカートリッジを排出させる
ことを特徴とするディスク装置。
【請求項５】
上記イジェクトレバーは、上記ホルダが上記挿脱位置から上記装着位置へ回動された際に、上記第２ロック係合部を上記メカシャーシに設けられた所定形状でなる第２被ロック部に対して面接触で係合させることにより上記第２ロック係合状態を形成し、上記ホルダが上記装着位置から上記挿脱位置へ回動された際に上記面接触に係る部分を滑らせながら上記第２ロック係合状態を解除する
ことを特徴とする請求項４に記載のディスク装置。
【請求項６】
上記イジェクトレバーの解除状態維持部は、上記第１ロック係合状態を解除したときに、当該第１ロック係合状態へ戻ることがないように上記解除状態を維持すると共に、上記付勢ばねによる付勢力を利用して上記被支持部を上記排出方向へ摺動させる際にも当該第１ロック係合状態へ戻ることがないように上記解除状態を維持し続ける
を具えることを特徴とする請求項４に記載のディスク装置。
【発明の詳細な説明】
【技術分野】
【０００１】
本発明は、イジェクト機構及びディスク装置に関し、例えばミニディスク等のディスク状記録媒体がカートリッジに収納されてなるディスクカートリッジのイジェクト構造に適用して好適なものである。
【背景技術】
【０００２】
従来、ディスク装置においては、ミニディスク等のディスクカートリッジに楽曲データを記録し、又は当該ディスクカートリッジに記録されている楽曲データを再生するようになされたものがあり、例えば直径６４ｍｍのディスク状記録媒体が回転可能に収納されてなるディスクカートリッジを当該ディスク装置のケース体内部に装填して用いるようになされている。
【０００３】
このディスク装置においては、楽曲データの記録又は再生を終了した後、ケース体内部のホルダに保持されているディスクカートリッジをイジェクトするためのイジェクト機構が搭載されている（例えば、特許文献１参照）。
【０００４】
図１７及び図１８に示すように、従来のイジェクト機構２００はディスク装置内のメカシャーシ２０１に対してホルダ２０２が軸２０３により回動自在に軸支されており、当該イジェクト機構２００がメカシャーシ２０１から離れる方向に回動された位置でディスクカートリッジ１００をホルダ２０２に対して挿入又はホルダ２０２から排出可能にするディスクカートリッジ挿脱状態と、イジェクト機構２００がメカシャーシ２０１に対してほぼ密着した位置（図示せず）で楽曲データの記録又は再生を行うディスクカートリッジ装着状態とを持ち得るようになされている。
【０００５】
ここでイジェクト機構２００に関し、ディスクカートリッジ１００が挿入される方向を後方向とすると共に、ディスクカートリッジ１００が排出される方向を前方向とし、さらにディスクカートリッジ１００が挿入される挿入口にユーザが対峙した状態において向かって右側を右方向、左側を左方向として以下、説明する。
【０００６】
イジェクト機構２００は、メカシャーシ２０１の前端部及び後端部で上方に突出された位置決めピン２０４、２０５が設けられており、ディスクカートリッジ装着状態においてディスクカートリッジ１００の位置決め穴１０１、１０２に対して位置決めピン２０４、２０５が挿入されることによりメカシャーシ２０１に対して当該ディスクカートリッジ１００を位置決めするようになされている。
【０００７】
ホルダ２０２の右側面部２０２Ａには、当該右側面部２０２Ａに沿って前後方向へ摺動自在なイジェクトレバー２０６が、当該右側面部２０２Ａの長手方向に形成された移動範囲制限空間２０７及びストッパ２０８を介して移動自在に支持されている。
【０００８】
イジェクトレバー２０６は、前方向及び後方向に渡って所定長さを有する被支持部２０６Ａと、当該被支持部２０６Ａとほぼ平行にかつ連続して設けられた略上下方向に弾性変形可能な弾性変形部２０６Ｂと、被支持部２０６Ａの後端部から左方向（ホルダ２０２の内側方向）へ突出されたディスクカートリッジ押当部２０６Ｃと、弾性変形部２０６Ｂの前端部から下方向へ突出された突出部２０６Ｄとが一体形成されている。
【０００９】
弾性変形部２０６Ｂの前端部には、ばね掛部２０６Ｅが形成されていると共に、当該ばね掛部２０６Ｅの隣にはロック部２０６Ｆが形成されている。また突出部２０６Ｄの下端部には僅かに右側方向（ホルダ２０２の外側方向）へ突出した係合突部２０６Ｇが形成されている。
【００１０】
一方、ホルダ２０２の右側面部２０２Ａには、イジェクトレバー２０６の弾性変形部２０６Ｂに形成されたばね掛部２０６Ｅと対応するばね掛突部２０９、及びイジェクトレバー２０６の弾性変形部２０６Ｂに形成されたロック部２０６Ｆと対応する被ロック部２１０がそれぞれ前後離間した位置に設けられている。
【００１１】
ホルダ２０２のばね掛突部２０９と、イジェクトレバー２０６のばね掛部２０６Ｅとの間には引張コイルばね２１１が張設され、当該引張コイルばね２１１の付勢力によってイジェクトレバー２０６が前方向に常時付勢された状態となる。
【００１２】
ホルダ２０２の右側面部２０２Ａの外面側（右方向）には、Ｌ字状のロック解除部材２１２が設けられており、当該ロック解除部材２１２における先端部の被係合部２１２Ａが前方向に向かって突出した状態でメカシャーシ２０１（図１７）に対して取り付け固定されている。
【００１３】
イジェクト機構２００は、ホルダ２０２に対してディスクカートリッジが挿入される前の状態において、当該ホルダ２０２の前端部がメカシャーシ２０１に対して上方に位置するように所定角度開き、イジェクトレバー２０６が引張コイルばね２１１の付勢力によって移動範囲の前方へ位置された状態（すなわちディスクカートリッジ挿脱状態）となる。
【００１４】
そしてイジェクト機構２００は、ホルダ２０２に対してディスクカートリッジ１００が前方向から挿入されていくと、当該ディスクカートリッジ１００の後端部がディスクカートリッジ押当部２０６Ｃに当接された状態で押され、イジェクトレバー２０６が引張コイルばね２１１の付勢力に抗して後方向へ移動されていく。
【００１５】
その後イジェクト機構２００は、図１９に示すようにイジェクトレバー２０６のロック部２０６Ｆがホルダ２０２の被ロック部２１０に係合されることになり、当該イジェクトレバー２０６が移動範囲の後端で保持される。
【００１６】
図２０に示すように、ディスクカートリッジ１００が挿入された状態のホルダ２０２が、軸２０３を介してメカシャーシ２０１へ近づく方向へ回動された結果、当該ホルダ２０２の前端部がメカシャーシ２０１に対してほぼ密着すると、当該ディスクカートリッジ１００の位置決め穴１０１、１０２にメカシャーシ２０１の位置決めピン２０４、２０５がそれぞれ挿入されることにより、ディスクカートリッジ１００とメカシャーシ２０１とが位置決めされた状態（すなわちディスクカートリッジ装着状態）となる。
【００１７】
これによりディスク装置は、ディスクカートリッジ１００のディスク状記録媒体がメカシャーシ２０１のディスクテーブルに装着され、当該ディスクテーブルの回転に伴ってディスク状記録媒体を回転させると共に、光ピックアップ（図示せず）により楽曲データの記録又は再生を行うようになされている。
【００１８】
ディスク装置は、ディスク状記録媒体に対する楽曲データの記録又は再生が終了し、イジェクト機構２００のホルダ２０２がメカシャーシ２０１から離隔する方向へ回動されると、イジェクトレバー２０６の突出部２０６Ｄに形成された係合突部２０６Ｇがロック解除部材２１２の被係合部２１２Ａに下方向から係合する（図２０）。
【００１９】
イジェクト機構２００は、係合突部２０６Ｇがロック解除部材２１２の被係合部２１２Ａに下方向から係合した状態で、さらにホルダ２０２がメカシャーシ２０１から離隔する方向へ回動し続けると、弾性変形部２０６Ｂの移動が規制されているので当該弾性変形部２０６Ｂが被支持部２０６Ａに対して下方向へ変形され、イジェクトレバー２０６のロック部２０６Ｆとホルダ２０２の被ロック部２１０との係合状態が解除されることになり、イジェクトレバー２０６を引張コイルばね２１１の付勢力によって前方向へ移動させる。
【００２０】
イジェクト機構２００は、イジェクトレバー２０６が付勢力によって前方向へ移動する際の勢いにより、ディスクカートリッジ１００を前方向へ押し出し、ホルダ２０２からディスクカートリッジ１００の一部を排出することによりイジェクト動作を完了するようになされている。
【特許文献１】特開2000-149375公報
【発明の開示】
【発明が解決しようとする課題】
【００２１】
ところでかかる構成のイジェクト機構２００においては、ホルダ２０２がメカシャーシ２０１から離隔する方向へ回動させながら、ホルダ２０２の係合突部２０６Ｇと、ロック解除部材２１２の被係合部２１２Ａとを下方向から引っ掛けさせることにより、イジェクトレバー２０６のロック部２０６Ｆとホルダ２０２の被ロック部２１０との係合状態を解除させるようにしているため、ホルダ２０２の係合突部２０６Ｇ及びロック解除部材２１２の被係合部２１２Ａに対する部品精度や相互の組み合わせ精度が低いときには、イジェクトレバー２０６のロック部２０６Ｆをホルダ２０２の被ロック部２１０に引っ掛けさせることができずに係合状態を解除させることができないことがあった。
【００２２】
このためイジェクト機構２００では、イジェクト動作時にディスクカートリッジ１００をホルダ２０２から排出し得ないことがあって、構造的に不十分であるという問題があった。
【００２３】
本発明は以上の点を考慮してなされたもので、高い部品精度や組み合わせ精度を要求することなくイジェクト動作時に確実にディスクカートリッジをホルダから排出可能なイジェクト機構及びディスク装置を提案しようとするものである。
【課題を解決するための手段】
【００２４】
かかる課題を解決するため本発明においては、ディスク状記録媒体を収納したディスクカートリッジに対するイジェクト機構であって、所定形状でなる第１被ロック部が一体形成され、ディスクカートリッジを挿入又は排出する際の挿脱位置と、当該ディスクカートリッジのディスク状記録媒体をメカシャーシ上の所定位置に装着させる装着位置との間を移動可能に回動するホルダと、当該ホルダに対してディスクカートリッジの挿入方向又は排出方向へ摺動自在に支持された被支持部と、ホルダが挿脱位置に保持された状態でかつディスクカートリッジが挿入されたときに第１被ロック部と係合することにより当該ディスクカートリッジを装填状態に保持して第１ロック係合状態を形成する第１ロック係合部と、ホルダが挿脱位置から装着位置へ回動されたときに第１ロック係合状態を解除してその解除状態を維持したまま当該ディスクカートリッジを当該装着位置に保持し、ホルダが装着位置から挿脱位置へ回動されたときにも解除状態を維持し続ける解除状態維持部と、ホルダが挿脱位置から装着位置へ回動されたときには当該ディスクカートリッジを当該装着位置に保持して第２ロック係合状態を形成する第２ロック係合部とが一体に形成されたイジェクトレバーと、ホルダとイジェクトレバーとの間で張設され、当該イジェクトレバーを排出方向へ付勢する付勢ばねとを具え、ホルダが装着位置から挿脱位置へ回動されることに連動してイジェクトレバーの第２ロック係合部による第２ロック係合状態が解除されたときに、第１ロック係合状態及び第２ロック係合状態の双方が解除され、付勢ばねによる付勢力を利用してイジェクトレバーの被支持部を排出方向へ摺動させてホルダに装填されていたディスクカートリッジを排出させるようにする。
【００２５】
本発明のイジェクト機構では、ホルダが装着位置から挿脱位置へ回動されることに連動してイジェクトレバーの第２ロック係合状態を解除し、このとき解除状態維持部により第１ロック係合部による第１ロック係合状態を解除し続けていることにより、付勢ばねによる付勢力を利用してイジェクトレバーの被支持部を排出方向へ摺動させてホルダに装填されていたディスクカートリッジを排出させることができるので、ホルダの装着位置から挿脱位置への回動に連動してディスクカートリッジを確実に排出することができる。
【００２６】
また本発明においては、ディスク状記録媒体を収納したディスクカートリッジに対するイジェクト機構を搭載したディスク装置であって、イジェクト機構は、所定形状でなる第１被ロック部が一体形成され、ディスクカートリッジを挿入又は排出する際の挿脱位置と、当該ディスクカートリッジのディスク状記録媒体をメカシャーシ上の所定位置に装着させる装着位置との間を移動可能に回動するホルダと、当該ホルダに対してディスクカートリッジの挿入方向又は排出方向へ摺動自在に支持された被支持部と、ホルダが挿脱位置に保持された状態でかつディスクカートリッジが挿入されたときに第１被ロック部と係合することにより当該ディスクカートリッジを装填状態に保持して第１ロック係合状態を形成する第１ロック係合部と、ホルダが挿脱位置から装着位置へ回動されたときに第１ロック係合状態を解除してその解除状態を維持したまま当該ディスクカートリッジを当該装着位置に保持し、ホルダが装着位置から挿脱位置へ回動されたときにも解除状態を維持し続ける解除状態維持部と、ホルダが挿脱位置から装着位置へ回動されたときには当該ディスクカートリッジを当該装着位置に保持して第２ロック係合状態を形成する第２ロック係合部とが一体に形成されたイジェクトレバーと、ホルダとイジェクトレバーとの間で張設され、当該イジェクトレバーを排出方向へ付勢する付勢ばねとを具え、ホルダが装着位置から挿脱位置へ回動されることに連動してイジェクトレバーの第２ロック係合部による第２ロック係合状態が解除されたときに、第１ロック係合状態及び第２ロック係合状態の双方が解除され、付勢ばねによる付勢力を利用してイジェクトレバーの被支持部を排出方向へ摺動させてホルダに装填されていたディスクカートリッジを排出させるようにする。
【００２７】
また本発明のディスク装置では、ホルダが装着位置から挿脱位置へ回動されることに連動してイジェクトレバーの第２ロック係合状態を解除し、このとき解除状態維持部により第１ロック係合部によるディスクカートリッジに対する保持状態を解除し続けていることにより、付勢ばねによる付勢力を利用してイジェクトレバーの被支持部を排出方向へ摺動させてホルダに装填されていたディスクカートリッジを排出させることができるので、ホルダの装着位置から挿脱位置への回動に連動してディスクカートリッジを確実に排出することができる。
【発明の効果】
【００２８】
本発明によれば、ホルダが装着位置から挿脱位置へ回動されることに連動してイジェクトレバーの第２ロック係合状態を解除し、このとき解除状態維持部により第１ロック係合部による第１ロック係合状態を解除し続けていることにより、付勢ばねによる付勢力を利用してイジェクトレバーの被支持部を排出方向へ摺動させてホルダに装填されていたディスクカートリッジを排出させることができるので、ホルダの装着位置から挿脱位置への回動に連動してディスクカートリッジを確実に排出することができ、かくして高い部品精度や組み合わせ精度を要求することなくイジェクト動作時に確実にディスクカートリッジをホルダから取り出すことが可能なイジェクト機構を実現できる。
【００２９】
また本発明によれば、ホルダが装着位置から挿脱位置へ回動されることに連動してイジェクトレバーの第２ロック係合状態を解除し、このとき解除状態維持部により第１ロック係合部による第１ロック係合状態を解除し続けていることにより、付勢ばねによる付勢力を利用してイジェクトレバーの被支持部を排出方向へ摺動させてホルダに装填されていたディスクカートリッジを排出させることができるので、ホルダの装着位置から挿脱位置への回動に連動してディスクカートリッジを確実に排出することができ、かくして高い部品精度や組み合わせ精度を要求することなくイジェクト動作時に確実にディスクカートリッジをホルダから取り出すことが可能なイジェクト機構を有するディスク装置を実現できる。
【発明を実施するための最良の形態】
【００３０】
以下、図面について、本発明の一実施の形態を詳述する。
【００３１】
（１）ディスク装置の外観構成
図１及び図２において、１は全体として本発明のイジェクト機構を搭載したディスク装置を示し、直径６４ｍｍのディスク状記録媒体を回転可能に収納したディスクカートリッジ１００（図２）を装填対象とし、当該ディスクカートリッジ１００のディスク状記録媒体１０４に対して楽曲データを記録したり、当該ディスク状記録媒体１０４から楽曲データを再生するようになされている。
【００３２】
このディスク装置１は、本体ケース２と、当該本体ケース２の後端部を支点として回動自在に支持されたカバー体３とによって構成され、ディスクカートリッジ１００の挿入時又は排出時にはカバー体３を本体ケース２から所定角度まで開放し、楽曲データの記録又は再生時には本体ケース２をカバー体３によって閉塞するようになされている。
【００３３】
本体ケース２は、カバー体３を閉塞位置から所定角度の開放位置まで回動させるためのオープンスライダ４、ヘッドフォンジャック５及び各種機器を接続するためのコネクタ６がその周側面に設けられている。なお本体ケース２は、図示しないが再生動作、記録動作、音量調整等の各種操作ボタンについても、他の周側面に設けられている。
【００３４】
カバー体３には、その表面に記録時間や再生時間あるいはバッテリ残量を表示したり、記録、再生、停止等の各種状態を示したアイコン等を表示する液晶ディスプレイでなる表示部７が設けられている。
【００３５】
なおディスク装置１においては、ディスクカートリッジ１００をホルダ８に挿入する方向を後方向とし、ディスクカートリッジ１００をホルダ８から排出する方向を前方向と定義すると共に、ディスクカートリッジ１００を挿入するホルダ８の挿入口にユーザが対峙した状態において右側を右方向及び左側を左方向として定義した上で以下説明する。
【００３６】
このディスク装置１（図２）は、本体ケース２の内部にメカシャーシ１０が配置されており、当該メカシャーシ１０の後端部を支点としてホルダ８が回動自在に支持されている。ホルダ８は、本体ケース２に対してカバー体３が回動する際に連動して開閉動作し、ディスクカートリッジ１００のディスク状記録媒体１０４をメカシャーシ１０のディスクテーブル（図示せず）に装着する装着位置と、ディスクカートリッジ１００をホルダ８に挿入又はホルダ８から排出する際の挿脱位置との間を移動するようになされている。
【００３７】
また本体ケース２は、その前面部に沿ったほぼ中央位置に、オープンスライダ４に対するスライド操作に連動したロック片９が設けられており、カバー体３の前面内部に設けられたロック部材１１にロック片９が係合されることにより、カバー体３と本体ケース２とを閉塞状態（図１）にロックし、ディスクカートリッジ１００を装着位置に位置決めするようになされている。
【００３８】
またディスク装置１は、閉塞状態においてオープンスライダ４をスライド操作したときには、ロック片９とロック部材１１との係合状態が解除され、図示しないばね部材の作用によってカバー体３がメカシャーシ１０に対して開放位置まで回動してディスクカートリッジ１００を排出するための挿脱位置に至るようになされている。
【００３９】
ここでディスクカートリッジ１００は、矩形状の偏平な箱状を有するケース体１０３内にディスク状記録媒体１０４が回転可能に収納されて構成され、当該ケース体１０３の下面の中央部に設けられた透過孔（図示せず）を開閉するシャッタ１０５がスライド自在に取り付けられている。
【００４０】
またディスクカートリッジ１００は、ケース体１０３のシャッタ１０５が取り付けられた部分の側面に当該ディスクカートリッジ１００の挿入又は排出方向にわたって延びる溝１０６が形成されると共に、当該ケース体１０３の下面に位置決め穴１０１及び１０２が形成されている。
【００４１】
さらにディスクカートリッジ１００は、シャッタ１０５の側面部に係合穴１０５Ａが形成されており、ディスク装置１に挿入される際に係合穴１０５Ａを介してシャッタ１０５がスライドし、当該ケース体１０３の下面の中央部に設けられた透過孔を開孔することにより、光ピックアップからのレーザ光をディスク状記録媒体１０４の記録面に照射するようになされている。
【００４２】
（２）イジェクト機構の構造
図３に示すように、ディスク装置１に搭載されているイジェクト機構２０としては、ホルダ８と当該ホルダ８と組み合わされて用いられるイジェクトレバー２１とによって構成されており、以下ホルダ８及びイジェクトレバー２１の構成について説明する。
【００４３】
（２−１）ホルダの構成
ホルダ８は金属製の板状材料が所定形状に折り曲げられることにより形成され、天板部２２と、当該天板部２２の左右両側縁からそれぞれ下方に垂設された側面部２３（一方のみを示す）と、当該側面部２３の下縁からそれぞれ互いに近づく方向へ向けて突出された受板部２５（一方のみを示す）とからなり、前端の開口部が挿入口８Ａとして形成されている。
【００４４】
ホルダ８の天板部２２には、左右に離間した位置に第１のばね部２６（一方のみを示す）が設けられており、当該第１のばね部２６の先端部が基端部よりも上方に反って位置するように形成されている。
【００４５】
この第１のばね部２６はカバー体３（図２）の下面に弾接され、カバー体３が開放位置に達したときには、当該第１のばね部２６の付勢力によりホルダ８をカバー体３から僅かに離隔させた挿脱位置に保持するようになされている。
【００４６】
ホルダ８は、第１のばね部２６によって挿脱位置に保持されているときには当該ホルダ８がカバー体３から僅かに離隔して位置されるため、ディスクカートリッジ１００のホルダ８への挿入時又は排出時に当該ディスクカートリッジ１００がカバー体３の前端部に干渉することを予め防止し得るようになされている。
【００４７】
なお、ホルダ８はカバー体３が閉塞位置に保持されているときには、当該カバー体３の下面に第１のばね部２６が弾接されることにより、当該ホルダ８がメカシャーシ１０に押し付けられて装着位置に保持されることになる。
【００４８】
またホルダ８の天板部２２には、左右に離隔した位置にそれぞれ第２のばね部２７（一方のみを示す）が設けられており、当該第２のばね部２７の先端部２７Ａが基端部よりも僅かに下方へ反って位置するように形成されている。
【００４９】
第２のばね部２７は、ホルダ８に挿入されるディスクカートリッジ１００の上面に弾接され、当該ホルダ８に挿入されて位置決めされた（以下、この状態を装填と呼ぶ）当該ディスクカートリッジ１００を当該ホルダ８の受板部２５に対して押し付ける。
【００５０】
これによりディスク装置１は、ホルダ８に対してディスクカートリッジ１００が装填された状態において、ディスクカートリッジ１００が第２のばね部２７によって押し付けられるため、当該ホルダ８に保持されたディスクカートリッジ１００のガタツキを防止し得るようになされている。
【００５１】
ホルダ８の側面部２３における前方寄り上縁には、それぞれ外方向へ向けて突出した引掛片２８（一方のみを示す）が設けられており、当該引掛片２８はカバー体３内に形成された一対の引掛部（図示せず）に対して係合されるようになされている。
【００５２】
これによりディスク装置１は、カバー体３が閉塞位置すなわちホルダ８が装着位置にある状態から当該カバー体３が回動して所定角度だけ本体ケース２から開いた時点で、カバー体３内の引掛部（図示せず）とホルダ８の引掛片２８とを係合させ、その状態からカバー体３が開放位置まで回動されることに連動して当該ホルダ８を挿脱位置まで回動させるようになされている。
【００５３】
ホルダ８の側面部２３には、引掛片２８の直ぐ後側に当該側面部２３を切り起こすことにより形成されたばね掛突部２９が形成されると共に、当該引掛片２８及びばね掛突部２９の下方に、当該側面部２３を切り起こすことにより形成されたシャッタ開閉ばね３０が設けられている。
【００５４】
さらに、ホルダ８の側面部２３における長手方向のほぼ中央付近には、当該側面部２３から切り起こすことにより当該側面部２３よりも僅かに外側方向へ突出し、かつ当該側面部２３と平行した状態に形成された所定形状の第１被ロック部３１が設けられている。
【００５５】
この第１被ロック部３１は、図４に示すように当該第１被ロック部３１と側面部２３との接続部分の側面でなる第１被ロック部分３１Ａ及び当該第１被ロック部３１の上辺部分でなる被解除状態維持部３１Ｂと、イジェクトレバー２１（図３）の先端部分に形成された第１ロック係合部４３の第１ロック係合部分４７及び解除状態維持部４６とをそれぞれ係合させることにより、当該イジェクトレバー２１をホルダ８の装着位置で位置決めし得るようになされている。
【００５６】
またホルダ８の第１被ロック部３１の後方には、当該イジェクトレバー２１の長手方向における移動範囲を制限するための細長い矩形状のガイド溝３２が形成されており、当該ガイド溝３２に対してイジェクトレバー２１のガイドプレート４１を介挿するようになされている。
【００５７】
（２−２）イジェクトレバーの構成
イジェクトレバー２１（図３）は、ホルダ８の側面部２３と、当該側面部２３に設けられた第１被ロック部３１との間の隙間を介して前後方向へ摺動する所定長さの被支持部４０と、当該被支持部４０がホルダ８に支持される際ガイド溝３２に対して介挿された状態で前後方向へ摺動するガイドプレート４１と、当該ガイドプレート４１の後端部から左側（ホルダ８の内側）へ突出したディスクカートリッジ押当部４２と、ホルダ８の第１被ロック部３１と係合させるため被支持部４０の前端部に設けられた第１ロック係合部４３とが一体に形成されている。
【００５８】
この第１ロック係合部４３は、被支持部４０の先端部分に形成されており、当該先端部分から上方向へ向かって延びると共に、当該上方向から右側方向（ホルダ８の外側方向）へ突出した切欠状のばね掛部４４が形成されており、当該ばね掛部４４とホルダ８のばね掛突部２９との間に付勢ばねとして用いられる引張コイルばね３５が張設される。
【００５９】
また第１ロック係合部４３には、その先端部から下方向へ延ばされ、本体ケース２の内周面側に設けられた第２被ロック部（後述する）の一部と当接させるための当接部４５、及びホルダ８における第１被ロック部３１の被解除状態維持部３１Ｂと係合させるための解除状態維持部４６が形成されている。
【００６０】
さらに第１ロック係合部４３は当接部４５の後方に切欠き状の第１ロック係合部分４７が形成されており、当該第１ロック係合部分４７とホルダ８の第１被ロック部３１の第１被ロック部分３１Ａ（図４）とを係合させることにより、ホルダ８の挿脱位置でディスクカートリッジ１００を位置決めしかつ保持し得るようになされている。
【００６１】
またイジェクトレバー２１は、第１ロック係合部４３に加えて、被支持部４０のほぼ中央下部に所定幅を有する断面略Ｌ字状の第２ロック係合部４８が当該被支持部４０の表面から突出した状態で一体に形成されており、本体ケース２のメカシャーシ１０に取り付けられた第２被ロック部（後述する）と面接触によって係合させ得るようになされている。
【００６２】
（２−３）本体ケースにおける第２被ロック部の構成
図５に示すように、本体ケース２の内周面側のメカシャーシ１０には第２被ロック部５０が取り付けられており、当該第２被ロック部５０はイジェクトレバー２１の第１ロック係合部４３における当接部４５と面接触により当接させるための板状でなる当接板５１と、イジェクトレバー２１の第２ロック係合部４８と面接触により係合させるための被係合部分５２とが一体に形成された構成を有している。
【００６３】
特にイジェクトレバー２１の第１ロック係合部４３における当接部４５は、第２被ロック部５０の当接板５１における天板部分のいずれの箇所と接触しても良く、相互に当接させる際にも精密な位置決め精度が求められることはない。
【００６４】
これに対して第２被ロック部５０の被係合部分５２は、図６に示すように、その側面部分のうち垂直側面部分５２Ａと、先端方向へ向かってテーパー状に形成されたテーパー状側面部分５２Ｂとを有することにより、イジェクトレバー２１の第２ロック係合部４８と面接触によって係合させ得るようになされている。
【００６５】
これによりイジェクト機構２０では、イジェクトレバー２１の第２ロック係合部４８と本体ケース２の第２被ロック部５０における被係合部分５２とが係合されるときには、当該被係合部分５２のテーパー状側面部分５２Ｂによって第２ロック係合部４８が係合し易く、かつ当該第２ロック係合部４８を垂直側面部分５２Ａへ容易に導くと共に、当該垂直側面部分５２Ａによって第２ロック係合部４８と強固に係合させ得るようになされている。
【００６６】
このときイジェクト機構２０は、第２ロック係合部４８及び被係合部分５２が所定の幅をもって形成されていることにより、相互に係合させる際に精密な位置決め精度が求められることはない。
【００６７】
従ってイジェクト機構２０は、カバー体３が閉塞位置から開放位置まで開く際の動きに連動してホルダ８が装着位置から挿脱位置まで遷移する際、イジェクトレバー２１の第２ロック係合部４８と本体ケース２の第２被ロック部５０における被係合部分５２との係合状態を、垂直側面部分５２Ａからテーパー状側面部分５２Ｂを介して容易に解除し得るようになされている。
【００６８】
このことは従来のイジェクト機構２００（図１７〜図２０）のように、ホルダ２０２の係合突部２０６Ｇとロック解除部材２１２の被係合部２１２Ａとを下方向から引っ掛けさせることにより解除する場合に比べて、本実施の形態におけるイジェクト機構２０が引っ掛けさせるという複雑な操作を必要としない分だけ一段と容易に係合状態を解除し得るようになされていることを意味している。
【００６９】
（２−４）ホルダとイジェクトレバーの組み合わせ状態
図５に示したようにイジェクト機構２０は、ホルダ８とイジェクトレバー２１とが組み合わされた状態において、当該ホルダ８のばね掛突部２９と当該イジェクトレバー２１のばね掛部４４との間に引張コイルばね３５が張設されることにより、当該引張コイルばね３５の付勢力によってイジェクトレバー２１をガイド溝３２により規制された移動範囲内の最前方寄りの所定位置すなわちディスクカートリッジ１００を挿入又は排出する際の挿脱位置に位置決めし得るようになされている。
【００７０】
ここでイジェクト機構２０は、当該ホルダ８のばね掛突部２９が当該イジェクトレバー２１のばね掛部４４よりも僅かに外側方向（右側方向）へ突出していることから、当該イジェクトレバー２１を全体的に外側方向へ付勢しており、これによりイジェクトレバー２１の解除状態維持部４６と第１被ロック３１の被解除状態維持部３１Ｂとを確実に係合させ得るようになされている。
【００７１】
このときイジェクト機構２０は、イジェクトレバー２１の被支持部４０が本体ケース２の内周面側に設けられた第２被ロック部５０の当接板５１及び被係合部分５２のいずれに対しても接触することはない。
【００７２】
そしてイジェクト機構２０は、ホルダ８の挿入口８Ａからディスクカートリッジ１００が挿入されると、当該挿入されたディスクカートリッジ１００によってディスクカートリッジ押当部４２が押されることによりイジェクトレバー２１をガイド溝３２及びガイドプレート４１を介して後方向へ移動させ得るようになされている。
【００７３】
（３）イジェクト動作の過程
次に、ディスク装置１においてイジェクト機構２０によりディスクカートリッジ挿入時からディスクカートリッジ排出時に至るまでのイジェクト動作における過程について第１動作から第５動作までの５段階に分けて順に説明する。
【００７４】
（３−１）ディスクカートリッジ挿入状態
図７及び図８に示すようにイジェクト機構２０は、第１動作として、ホルダ８の挿脱位置でディスクカートリッジ１００が挿入されただけの段階では、当該ホルダ８の挿入口８Ａから挿入されたディスクカートリッジ１００の後端部がディスクカートリッジ押当部４２に当接された状態となる。
【００７５】
このときイジェクト機構２０では、ホルダ８にディスクカートリッジ１００が挿入され、そのままの位置すなわちホルダ８が挿脱位置にあってイジェクトレバー２１が引張コイルばね３５の付勢力によって移動範囲内の最前方寄りに位置されている限り、当該イジェクトレバー２１が本体ケース２のメカシャーシ１０に取り付けられた第２被ロック部５０の当接板５１及び被係合部分５２のいずれに対して接触することはない。
【００７６】
すなわちイジェクト機構２０では、ディスクカートリッジ１００をホルダ８に挿入してディスクカートリッジ１００の後端部がディスクカートリッジ押当部４２に当接されただけのディスクカートリッジ挿入状態では、イジェクトレバー２１の第１ロック係合部４３及び第２ロック係合部４８の双方とも係合状態になることはない。
【００７７】
（３−２）第１ロック係合状態
図９及び図１０に示すようにイジェクト機構２０は、第２動作として、ホルダ８の挿入口８Ａから挿入されたディスクカートリッジ１００の後端部がディスクカートリッジ押当部４２に当接された状態で押されていくことにより、引張コイルばね３５の付勢力に抗してイジェクトレバー２１がガイド溝３２及びガイドプレート４１を介して次第に後方向へ押し下げられていく。
【００７８】
そしてイジェクト機構２０は、イジェクトレバー２１がガイド溝３２による移動範囲内の最後方寄りまで位置すると、第１被ロック部３１における第１被ロック部分３１Ａ（図４）と、イジェクトレバー２１の第１ロック係合部４３における第１ロック係合部分４７とが係合することにより第１ロック係合状態になり、当該ディスクカートリッジ１００が装填されたことになる。
【００７９】
このときイジェクト機構２０は、第１ロック係合状態において引張コイルばね３５の付勢力によってイジェクトレバー２１には常時前方向への付勢力が働いているので、当該位置でディスクカートリッジ１００をガタツキなく保持（すなわち第１ロック係合状態を保持）することができる。
【００８０】
なおイジェクト機構２０は、第１ロック係合状態のとき、イジェクトレバー２１の第１ロック係合部４３が第１被ロック部３１の第１被ロック部分３１Ａと係合状態になるものの、第２ロック係合部４８については第２被ロック部５０と係合状態になることはない。
【００８１】
（３−３）第２ロック係合状態
図１１及び図１２に示すようにイジェクト機構２０は、第３動作として、カバー体３が開放位置から閉塞状態まで閉じられることに伴ってホルダ８を挿脱位置から装着位置に遷移させる。
【００８２】
このときイジェクト機構２０は、イジェクトレバー２１の第１ロック係合部４３における当接部４５が本体ケース２の第２被ロック部５０における当接板５１に押し当てられることにより、当該第１ロック係合部４３の解除状態維持部４６を第１被ロック部３１の壁面の内側を通って押し上げ、当該装着位置において当該第１ロック係合部４３の解除状態維持部４６と第１被ロック部３１の被解除状態維持部３１Ｂとを係合させる。
【００８３】
このようにイジェクト機構２０は、第１ロック係合部４３の解除状態維持部４６と第１被ロック部３１の被解除状態維持部３１Ｂとを係合させることにより第１ロック係合状態を解除し、この後、第１ロック係合状態に戻ることを防止することができる。
【００８４】
同時にイジェクト機構２０は、カバー体３が開放位置から閉塞状態まで閉じられることに伴ってホルダ８を挿脱位置から装着位置に遷移する際に、イジェクトレバー２１の第２ロック係合部４８を上方向から下方向へ向かわせながら本体ケース２に設けられた第２被ロック部５０の被係合部分５２に係合させる。
【００８５】
この場合イジェクト機構２０は、第２被ロック部５０における被係合部分５２のテーパー状側面部分５２Ｂを介して垂直側面部分５２Ａと第２ロック係合部４８の側面部分４８Ａ（図５）とを面接触によって係合させることができるので、当該第２ロック係合部４８の側面部分４８Ａと第２被ロック部５０の被係合部分５２との間で精密な位置決め精度が要求されることなく容易かつ確実にディスクカートリッジ１００を装着位置に保持（すなわち第２ロック係合状態を保持）することができる。
【００８６】
このようにイジェクト機構２０は、第２ロック係合状態では、ホルダ８が挿脱位置から装着位置へ遷移する際に、第１ロック係合状態を解除したまま第２ロック係合状態を保持することができる。
【００８７】
（３−４）第２ロック解除状態
図１３及び図１４に示すようにイジェクト機構２０は、第４動作として、本体ケース２のオープンスライダ４（図２）に対する操作によりカバー体３が閉塞位置から開放位置まで開き始めることに連動してホルダ８が装着位置から挿脱位置へ遷移し始めると、当該ホルダ８の遷移に合わせてイジェクトレバー２１の第２ロック係合部４８と本体ケース２に設けられた第２被ロック部５０の被係合部分５２との係合状態が徐々に解除し始める。
【００８８】
すなわちイジェクト機構２０では、イジェクトレバー２１の第２ロック係合部４８が第２被ロック部５０の被係合部分５２における垂直側面部分５２Ａからテーパー状側面部分５２Ｂへとすべりながら、イジェクトレバー２１の第２ロック係合部４８と第２被ロック部５０の被係合部分５２との係合状態を解除することにより、当該第２ロック係合状態を解除して第２ロック解除状態に遷移することができる。
【００８９】
このときイジェクト機構２０では、第２ロック解除状態では、第１ロック係合状態が解除されたまま当該第１ロック係合状態に戻ることを防止し続けているので、当該第１ロック係合状態及び第２ロック係合状態共に解除されたことになる。
【００９０】
（３−５）ディスクカートリッジ取出状態
図１５及び図１６に示すようにイジェクト機構２０は、第５動作として、第４動作において第１ロック係合状態及び第２ロック係合状態共に解除されているので、ホルダ８のイジェクトレバー２１を規制するものは何もない状態となっている。
【００９１】
従ってイジェクト機構２０は、当該イジェクトレバー２１のばね掛部４４及びホルダ８のばね掛突部２９間に張設された引張コイルばね３５の付勢力によって当該イジェクトレバー２１を前方向すなわちディスク排出方向へ強制的に移動させることができるので、当該イジェクトレバー２１のディスクカートリッジ押当部４２に当接されているディスクカートリッジ１００を挿入口８Ａから強制的に排出することができる。
【００９２】
（４）動作及び効果
以上の構成において、イジェクト機構２０は、ホルダ８が挿脱位置に保持された状態でディスクカートリッジ１００が挿入されたときには、イジェクトレバー２１の第１ロック係合部４３における第１ロック係合部分４７とホルダ８の第１被ロック部３１における第１被ロック部分３１Ａとが係合することにより、ディスクカートリッジ１００を装填した状態を保持して第１ロック係合状態を形成する（第２動作）。
【００９３】
その後、イジェクト機構２０は、カバー体３が開放位置から閉塞位置に変わるに連れてホルダ８が挿脱位置から装着位置に遷移すると、本体ケース２の第２被ロック部５０の当接板５１にイジェクトレバー２１の当接部４５が接触して当該当接板５１によってイジェクトレバー２１が押し上げられ、当該第１ロック係合部４３の解除状態維持部４６と第１被ロック部３１の被解除状態維持部３１Ｂとが係合されて第１ロック係合状態を解除すると共に、この第１ロック解除状態を維持する。
【００９４】
このとき同時にイジェクト機構２０は、第２ロック係合部４８と本体ケース２の第２被ロック部５０の被係合部分５２とをテーパー状側面部分５２Ｂを介して垂直側面部分５２Ａに係合させることにより第２ロック係合状態を形成する（第３動作）。
【００９５】
イジェクト機構２０は、この第２ロック係合状態でディスクカートリッジ１００のディスク状記録媒体１０４に対してデータの書き込み又は再生を行った後、オープンスライダ４に対する操作によりホルダ８が装着位置から挿脱位置へ遷移し始めると、当該ホルダ８の遷移に合わせてイジェクトレバー２１の第２ロック係合部４８と本体ケース２内の第２被ロック部５０における被係合部分５２（垂直側面部分５２Ａ）との係合状態が徐々に解除し始め、テーパー状側面部分５２Ｂを介して最終的に第２ロック係合状態が完全に解除される。
【００９６】
これに対して従来のイジェクト機構２００（図１７〜図２０）では、ホルダ２０２がメカシャーシ２０１から離隔する方向へ回動されると、イジェクトレバー２０６の突出部２０６Ｄに形成された係合突部２０６Ｇがロック解除部材２１２の係合部２１２Ａに下方向から引っ掛けさせることにより、イジェクトレバー２０６のロック部２０６Ｆとホルダ２０２の被ロック部２１０との係合状態を解除する。
【００９７】
しかしながら本発明におけるイジェクト機構２０では、第２ロック係合状態を解除するのに本体ケース２の第２被ロック部５０における被係合部分５２とイジェクトレバー２１の第２ロック係合部４８との係合状態を解除するといった、従来におけるイジェクト機構２００のような引っ掛け動作とは逆の解除動作により当該第２ロック係合状態を解除することができるので、従来のイジェクト機構２００に比べて簡単な動作でかつ確実にディスクカートリッジ１００を排出することができる。
【００９８】
なおイジェクト機構２０では、その際、被係合部分５２の垂直側面部分５２Ａからテーパー状側面部分５２Ｂにかけて面接触によるすべりを利用して第２ロック係合状態を解除しているので、従来のイジェクト機構２００よりも一段と滑らかにイジェクト動作を実行することができる。
【００９９】
以上の構成によれば、ディスク装置１のイジェクト機構２０は従来のイジェクト機構２００のように高い部品精度や組み合わせ精度を要求することなくイジェクト動作時にディスクカートリッジ１００をホルダ８から確実に排出することができる。
【０１００】
（５）他の実施の形態
なお上述の実施の形態においては、本体ケース２の第２被ロック部５０における当接板５１及び被係合部分５２が一体に形成されているようにした場合について述べたが、本発明はこれに限らず、当接板５１及び被係合部分５２がそれぞれ独立して本体ケース２のメカシャーシ１０に形成されているようにしても良い。
【０１０１】
また上述の実施の形態においては、ディスク装置１におけるイジェクト機構２０の対象としてディスク状記録媒体がカートリッジに収納されたミニディスク等の記録媒体を用いるようにした場合について述べたが、本発明はこれに限らず、ブルーレイディスク、ＤＶＤ−ＲＡＭ(Digital Versatile Disc-Random Access Memory)、フレキシブルディスク等のディスク状記録媒体がカートリッジに収納された他の種々の記録媒体を対象とするようにしても良い。
【０１０２】
さらに上述の実施の形態においては、本発明のイジェクト機構２０を、図３〜図６に示したような形状及び構造によって構成するようにした場合について述べたが、本発明はこれに限らず、その他種々の形状及び構造によってイジェクト機構２０を構成するようにしても良い。
【産業上の利用可能性】
【０１０３】
本発明のイジェクト機構及びディスク装置は、例えばディスク状記録媒体がカートリッジに収納されたディスクカートリッジを挿入又は排出するイジェクト動作を確実に実行する用途に適用することができる。
【図面の簡単な説明】
【０１０４】
【図１】本発明のイジェクト機構を有するディスク装置の外観構成を示す略線的斜視図である。
【図２】ディスク装置にディスクカートリッジが装填される様子を示す略線的斜視図である
【図３】本発明のイジェクト機構（ホルダ及びイジェクトレバー）の構造を示す略線的斜視図である。
【図４】第１被ロック部の構造を示す略線的斜視図である。
【図５】イジェクト機構の組み合わせ状態を示す略線的斜視図である。
【図６】第２被ロック部における被係合部分の構成を示す略線的斜視図である。
【図７】イジェクト機構における第１動作（１）を示す略線的斜視図である。
【図８】イジェクト機構における第１動作（２）を示す略線的側面図である。
【図９】イジェクト機構における第２動作（１）を示す略線的斜視図である。
【図１０】イジェクト機構における第２動作（２）を示す略線的側面図である。
【図１１】イジェクト機構における第３動作（１）を示す略線的斜視図である。
【図１２】イジェクト機構における第３動作（２）を示す略線的側面図である。
【図１３】イジェクト機構における第４動作（１）を示す略線的斜視図である。
【図１４】イジェクト機構における第４動作（２）を示す略線的側面図である。
【図１５】イジェクト機構における第５動作（１）を示す略線的斜視図である。
【図１６】イジェクト機構における第５動作（２）を示す略線的側面図である。
【図１７】従来のイジェクト機構の構造（１）を示す略線的側面図である。
【図１８】従来のイジェクト機構の構造（２）を示す略線的斜視図である。
【図１９】従来のイジェクト機構におけるディスクカートリッジ装填時状態を示す略線的側面図である。
【図２０】従来のイジェクト機構における記録又は再生状態を示す略線的側面図である。
【符号の説明】
【０１０５】
１……ディスク装置、２……本体ケース、３……カバー体、４……オープンスライダ、８、２０２……ホルダ、９……ロック片、１０、２０１……メカシャーシ、２０、２００……イジェクト機構、２１、２０６……イジェクトレバー、２２……天板部、２５、２６……受板部、２９……ばね掛突部、３１……第１被ロック部、３２……ガイド溝、３５、２１１……引張コイルばね、４０、２０６Ａ……被支持部、４１……ガイドプレート、４２……ディスクカートリッジ押当部、４３……第１ロック係合部、４４……ばね掛部、４５……当接部、４６……解除状態維持部、４７……第１係合部、４８……第２ロック係合部、５０……第２被ロック部、５１……当接板、５２……被係合部、１００……ディスクカートリッジ、１０１、１０２……位置決め穴、１０３……ケース体、１０４……ディスク状記録媒体、１０５……シャッタ、１０６……溝、２１０……被ロック部。
【図１】
2005322307.tif 000003
【図２】
2005322307.tif 000004
【図３】
2005322307.tif 000005
【図４】
2005322307.tif 000006
【図５】
2005322307.tif 000007
【図６】
2005322307.tif 000008
【図７】
2005322307.tif 000009
【図８】
2005322307.tif 000010
【図９】
2005322307.tif 000011
【図１０】
2005322307.tif 000012
【図１１】
2005322307.tif 000013
【図１２】
2005322307.tif 000014
【図１３】
2005322307.tif 000015
【図１４】
2005322307.tif 000016
【図１５】
2005322307.tif 000017
【図１６】
2005322307.tif 000018
【図１７】
2005322307.tif 000019
【図１８】
2005322307.tif 000020
【図１９】
2005322307.tif 000021
【図２０】
2005322307.tif 000022